(57)【要約】【課題】  既存のニコチン除去器具（フィルター部へ取り付けるパイプ等）では、使用によりどれくらいのニコチンが除去されているか、喫煙者自身が知ることができず、不便であった。【解決の方法】  喫煙者自身がタバコのフィルター部へ滴下して使用するニコチン低減剤と、体内から排出されるニコチン量を測定するキットを同一の包装内に納めた包装形態で提供することで、喫煙者の利便性の向上に貢献することができる。【選択図】  図１
0003104203.tif 000002
【実用新案登録請求の範囲】
【請求項１】
ニコチン低減剤が充填された容器と、体内から尿とともに排出されるニコチン量を測定するキットと、前記容器及び測定キットを同一の包装内に納めることを特徴とするニコチン低減剤。
【考案の詳細な説明】
【技術分野】
【０００１】
本考案は、ニコチン低減剤が充填された容器と、体内から尿とともに排出されるニコチン量を測定するキットと、前記容器及びキットを同一包装内に備えることを特徴とするニコチン低減剤に関する。
【背景技術】
【０００２】
従来、煙草の主流煙中に含まれるニコチン、タール、一酸化炭素等の有害性が指摘されている成分を除去するために、様々な方法が考案されている。
【０００３】
タバコの煙に含まれるニコチンは、水に溶けやすい性質を有している点に着目し、タバコの煙を水に接触させ、吸入するタバコの煙に含まれるニコチン量を低減させる方法（特許文献１〜４）が開示されている。また、タバコのフィルターにシクロデキストリンを含有したもの（特許文献５）、フィルターへ装着するパイプに多孔性重合体を用いる等の提案（特許文献６、７）や、吸水性ポリマーをタバコのフィルター部に添加したもの（特許文献８）等が開示されているものの、これらはニコチンを除去することをうたっており、一部のパイプ等ではその一部が黒く変色するといった点で、ニコチンが除去されていることを示しているが、タバコの主流煙中のニコチンがどの程度まで除去されているのかを確認する手段は与えられていなかった。
【０００４】
【特許文献１】特開昭４８−５３８７１号公報
【特許文献２】特開昭５０−１３０５７９号公報
【特許文献３】特開昭６０−１９６１８０号公報
【特許文献４】特開昭６２−１９８３７８号公報
【特許文献５】特開昭５１−３２７９９号公報
【特許文献６】特開昭６２−１７９３７６号公報
【特許文献７】特開昭４７−３０９００号公報
【特許文献８】特開平２−５３４５７号公報
【特許文献９】特開昭５６−１８５８３号公報
【考案の開示】
【考案が解決しようとする課題】
【０００５】
本考案は、上記課題に鑑み、喫煙者自身がタバコの主流煙中に含まれるニコチン量を低減し、体内から排出されるニコチン量を測定することで、実際にタバコの主流煙中からニコチン量が低減されていることを喫煙者自身が測定して確認することができる、ニコチン低減剤及びニコチンの測定キットを同一の包装内に納めた形態として提供するものである。
【課題を解決するための手段】
【０００６】
上記目的を達成するための本考案に係るニコチン低減剤及びニコチンの測定キットを同一の包装内に納めた本考案品では、タバコのフィルター部に滴下するだけでタバコの主流煙中に含まれるニコチンを低減することができるニコチン低減剤を充填した容器（１）と、体内から排出されるニコチンを測定するキット（２）を同一の包装内に納めた形態であることを特徴とする。
【考案の効果】
【０００７】
タバコの主流煙中に含まれるニコチンを低減するニコチン低減剤を充填した容器（１）と、体内から排出されるニコチンを測定するキット（２）を同一包装体に備えることにより、喫煙者自身がタバコにニコチン低減剤を添加して喫煙し、そのニコチン低減効果を実際に喫煙者自身が同梱されている測定キットを用いて測定することで、ニコチンが効果的に低減されていることを自覚することが可能となる。
【考案を実施するための最良の形態】
【０００８】
本考案に係るニコチン低減剤を充填する容器（１）は、ポリエチレン、ポリプロピレン、ポリエチレンテレフタレートといった合成樹脂等、公知の素材を使用することができる。使用した際の容器の取り扱いの面から、容器の素材としてはポリエチレンが好ましい。容器の内容量は１０〜３０ｇ程度のニコチン低減剤が充填できればよく、大きすぎると携帯が困難であり好ましくない。その形状は、円柱形、楕円柱形等、任意の形状とすることができる。容器の注ぎ口（７）は、タバコのフィルター部へ適度な粘度を有するニコチン低減剤を１滴ずつ滴下しやすい形状、例えば、筒状（図３）、円錐状（図４）等が例示できる。当該注ぎ口（７）には、注ぎ口（７）を隙間無く覆い、充填されているニコチン低減剤が漏れ出ないキャップ（８）を設けておき、使用時以外は当該キャップ（８）で注ぎ口（７）を覆っておけばよい。当該キャップ（８）は、かぶせることで注ぎ口（７）を密閉できる構造であれば任意の形状とすることができ、好ましくはワンタッチで注ぎ口（７）が開口できる図４の形態が例示できる。また、キャップ（８）と蓋（６）を連結する構造（９）を設け、キャップ（８）が無くならないように一体化することもできる。
【０００９】
注ぎ口（７）、キャップ（８）を含めた容器（１）全体の大きさは、例えば円柱形の容器の場合、直径１．５〜２．５ｃｍ、高さ４〜９ｃｍ程度が持ちやすく好ましい。
【００１０】
次いで、本考案に含まれるニコチン測定キット（２）について説明する。
【００１１】
ニコチン測定キット（２）は、尿中のニコチン量に応じて反応する試薬を含むものであり、その形状は任意のものとすることができる。例えば、ろ紙や素焼きの板に試薬を含ませ、薄層クロマトグラフィのようにすることもできる。簡便には、このような測定キットは市販されているものを利用することもできる。例えば、DynaGen社のNicCheckの他、Craig Medical Distribution, Inc.、A&B Detox, Inc.、MUI社等から販売されている同様の製品を例示することができる。これらのものを酸素や日光から避けるため、アルミ製のラミネートパック等で包装しておくことが好ましい。
【００１２】
本考案に係るニコチン低減剤の包装（４）は、公知の素材を用いることができる。例えば、紙類、透明のプラスチックケース、ブリスターパック、袋入りなど、ニコチン低減剤の充填された容器（１）及びニコチン測定キット（２）が一体に包装できるものであれば制限無く任意の素材、形状をとることができる。その時、ニコチン低減剤の充填された容器（１）、ニコチン測定キット（２）及び説明書（３）等を包装する際に、内容物に片よりが生じないように段ボール紙等によるしきり板や緩衝材を用いても良い。特に、CD-ROMを内包する場合は、CD-ROMが傷まないように、プラスチックケース、化繊や紙製の収納ケースに入れることが好ましい。
【００１３】
本考案に係るニコチン低減剤の包装（４）内には、上記ニコチン低減剤が充填された容器（１）、ニコチン測定キット（２）の他に、ニコチン低減剤、ニコチン測定キットの使用方法、ニコチン測定結果の確認方法、使用上の注意等が記載された説明書（３）を封入することが好ましい。当該説明書は紙に印刷したものでも、CD-ROM、フロッピーディスク、各種メモリーカード等の電子媒体にデータとして収録されたものでもよい。CD-ROMを利用する場合、紙の説明書以上の情報を記録できるため、本考案に係るニコチン低減剤に関するさらに詳細な説明、情報や、使用方法を画像等により明確に説明できるため、利用者にとっても好ましい。或いは、CD-ROMを内包するかわりに、説明書等のデータをインターネット上で公開し、必要に応じてダウンロードするためのアクセス先を記しておいても良い。
【００１４】
本考案に係るニコチン低減剤は、増粘性を有する成分により粘度を有しており、当該低減剤をタバコのフィルター部へ１滴滴下することにより、タバコの主流煙中に含まれるニコチン量の５０〜７０％をフィルター部にトラップすることができる。ニコチン低減剤は使用する造粘成分によってその効果は異なるが、例えば水飴を主成分とし、粘度が１５００ｍＰａ・ｓとした場合、主流煙のニコチン量を５０〜７０％程度カットすることができる。従って、体外へ排出されるニコチン量も低減することとなる。
【００１５】
以下、本考案に係るニコチン低減剤の好ましい代表的な実施形態を、図面に基づいて詳細に説明する。
実施例
ニコチン低減剤を充填する容器（１）として、素材にポリエチレンが使用された内容量１０ｇの円柱形の容器（縦６ｃｍ、直径２ｃｍ）を選択し、注ぎ口（７）は筒状（長さ１ｃｍ、直径４ｍｍ、筒の厚み１．９ｍｍ）のものとし、該注ぎ口（７）をネジ状の構造を有する蓋（６）で密閉するものとした。
【００１６】
ニコチン低減剤として、水飴を主体としてクエン酸、香料、着色料を添加し、粘度１５００ｍＰａ・ｓに調製したものを容器に充填した。
【００１７】
上記ニコチン低減剤を充填した容器（１）と、ニコチン測定キット（２）としてDynaGen社のNicCheck、これらの使用に関する説明を印刷した説明書（３）一部を、縦８ｃｍ、横１０ｃｍ、高さ３ｃｍの紙製の箱（４）に封入し、該箱を透明のプラスチックフィルムで包装し、本考案に係るニコチン低減剤の包装とした。
【００１８】
本考案に係るニコチン低減剤を充填した容器（１）と、ニコチン測定キット（２）を同一の包装内に納めたことで、ニコチン低減剤により体内に吸入されるニコチン量が低減していることを、喫煙者自身が測定キットを用いて確認することが可能となった。
【図面の簡単な説明】
【００１９】
【図１】ニコチン低減剤の包装形態を示す斜視図
【図２】ニコチン低減剤が充填された容器
【図３】ニコチン低減剤が充填された容器（注ぎ口が筒状のもの）
【図４】ニコチン低減剤が充填された容器（注ぎ口が円錐状のもの）
【符号の説明】
【００２０】
（１）ニコチン低減剤を充填した容器
（２）ニコチン測定キット
（３）紙に印刷した説明書
（４）包装
（５）容器
（６）蓋
（７）注ぎ口
（８）キャップ
（９）キャップと蓋の連結部分
【図１】
0003104203.tif 000003
【図２】
0003104203.tif 000004
【図３】
0003104203.tif 000005
【図４】
0003104203.tif 000006
【手続補正書】
【提出日】平成16年5月20日(2004.5.20)
【手続補正１】
【補正対象書類名】実用新案登録請求の範囲
【補正対象項目名】請求項１
【補正方法】変更
【補正の内容】
【請求項１】
ニコチン低減剤が充填された容器と、体内から尿とともに排出されるニコチン量を測定するキットと、前記容器及び測定キットを同一の包装内に納めることを特徴とするニコチン低減剤セット。
【手続補正２】
【補正対象書類名】明細書
【補正対象項目名】０００１
【補正方法】変更
【補正の内容】
【０００１】
本考案は、ニコチン低減剤が充填された容器と、体内から尿とともに排出されるニコチン量を測定するキットと、前記容器及びキットを同一包装内に備えることを特徴とするニコチン低減剤セットに関する。
【手続補正３】
【補正対象書類名】明細書
【補正対象項目名】００１２
【補正方法】変更
【補正の内容】
【００１２】
本考案に係るニコチン低減剤セットの包装（４）は、公知の素材を用いることができる。例えば、紙類、透明のプラスチックケース、ブリスターパック、袋入りなど、ニコチン低減剤の充填された容器（１）及びニコチン測定キット（２）が一体に包装できるものであれば制限無く任意の素材、形状をとることができる。その時、ニコチン低減剤の充填された容器（１）、ニコチン測定キット（２）及び説明書（３）等を包装する際に、内容物に片よりが生じないように段ボール紙等によるしきり板や緩衝材を用いても良い。特に、CD-ROMを内包する場合は、CD-ROMが傷まないように、プラスチックケース、化繊や紙製の収納ケースに入れることが好ましい。
【手続補正４】
【補正対象書類名】明細書
【補正対象項目名】００１３
【補正方法】変更
【補正の内容】
【００１３】
本考案に係るニコチン低減剤セットの包装（４）内には、上記ニコチン低減剤が充填された容器（１）、ニコチン測定キット（２）の他に、ニコチン低減剤、ニコチン測定キットの使用方法、ニコチン特定結果の確認方法、使用上の注意等が記載された説明書（３）を封入することが好ましい。当該説明書は紙に印刷したものでも、CD-ROM、フレキシブルディスク、各種メモリーカード等の電子媒体にデータとして収録されたものでもよい。CD-ROMを利用する場合、紙の説明書以上の情報を記録できるため、本考案に係るニコチン低減剤セットに関するさらに詳細な説明、情報や、使用方法を画像等により明確に説明できるため、利用者にとっても好ましい。或いは、CD-ROMを内包するかわりに、説明書等のデータをインターネット上で公開し、必要に応じてダウンロードするためのアクセス先を記しておいても良い。
【手続補正５】
【補正対象書類名】明細書
【補正対象項目名】００１５
【補正方法】変更
【補正の内容】
【００１５】
以下、本考案に係るニコチン低減剤セットの好ましい代表的な実施形態を、図面に基づいて詳細に説明する。
実施例
ニコチン低減剤を充填する容器（１）として、素材にポリエチレンが使用された内容量１０ｇの円柱形の容器（縦６ｃｍ、直径２ｃｍ）を選択し、注ぎ口（７）は筒状（長さ１ｃｍ、直径４ｍｍ、筒の厚み１．９ｍｍ）のものとし、該注ぎ口（７）をネジ状の構造を有する蓋（６）で密封するものとした。
【手続補正６】
【補正対象書類名】明細書
【補正対象項目名】００１７
【補正方法】変更
【補正の内容】
【００１７】
上記ニコチン低減剤を充填した容器（１）と、ニコチン測定キット（２）としてDynaGen社のNicCheck、これらの使用に関する説明を印刷した説明書（３）一部を、縦８ｃｍ、横１０ｃｍ、高さ３ｃｍの紙製の箱（４）に封入し、該箱を透明のプラスチックフィルムで包装し、本考案に係るニコチン低減剤セットとした。
【手続補正７】
【補正対象書類名】明細書
【補正対象項目名】００１９
【補正方法】変更
【補正の内容】
【００１９】
【図１】ニコチン低減剤セットの包装形態を示す斜視図
【図２】ニコチン低減剤が充填された容器
【図３】ニコチン低減剤が充填された容器（注ぎ口が筒状のもの）
【図４】ニコチン低減剤が充填された容器（注ぎ口が円錐状のもの）